(57)【要約】【課題】小型化を図るとともに視認性を良好に保つことができる表示装置及び画像形成装置を提供する。【解決手段】被取付け体に対して回転軸を中心に回転可能な表示装置であって、発光源と、発光源から出射した光を発光面に導く導光部材と、を備え、発光面が回転軸と同心円上に配置され、導光部材は、回転軸の同心円に沿った円弧状の反射面を有し、回転軸と発光面の間に配置されている。回転軸と導光部材の間に反射面から漏れる光を遮蔽する遮蔽部材を備え、発光源が非点灯のときに、発光面はカバー部材によってブラックアウトされる。【選択図】図５
2018012224.tif 000002
【特許請求の範囲】
【請求項１】
被取付け体に対して回転軸を中心に回転可能な表示装置であって、
発光源と、
前記発光源から出射した光を発光面に導く導光部材と、を備え、
前記発光面が前記回転軸と同心円上に配置されている、
ことを特徴とする表示装置。
【請求項２】
前記導光部材は、前記回転軸の同心円に沿った円弧状の反射面を有し、前記回転軸と前記発光面の間に配置されている、
ことを特徴とする請求項１に記載の表示装置。
【請求項３】
前記回転軸と前記導光部材の間に前記反射面から漏れる光を遮蔽する遮蔽部材を更に備えた、
ことを特徴とする請求項１又は２に記載の表示装置。
【請求項４】
前記発光源が非点灯のときに、前記発光面はカバー部材によってブラックアウトされる、
ことを特徴とする請求項１ないし３のいずれか１項に記載の表示装置。
【請求項５】
用紙に画像を形成する画像形成部と、
請求項１ないし４のいずれか１項に記載の表示装置と、を備えた、
ことを特徴とする画像形成装置。
【発明の詳細な説明】
【技術分野】
【０００１】
本発明は、表示装置及び画像形成装置に関する。
【背景技術】
【０００２】
操作表示部が、画像形成条件を設定するための操作部を有し、操作表示部に取付けられ、操作部を画像形成装置の設置面に対して略垂直から略平行までの範囲内で回動する回動部材と、操作部を略垂直から略平行までの複数の角度で固定する固定手段とを有する画像形成装置が知られている（特許文献１）。
【先行技術文献】
【特許文献】
【０００３】
【特許文献１】特開２００６−３４７０９０号公報
【発明の概要】
【発明が解決しようとする課題】
【０００４】
本発明は、小型化を図るとともに視認性を良好に保つことができる表示装置及び画像形成装置を提供することを目的とする。
【課題を解決するための手段】
【０００５】
前記課題を解決するために、請求項１に記載の表示装置は、
被取付け体に対して回転軸を中心に回転可能な表示装置であって、
発光源と、
前記発光源から出射した光を発光面に導く導光部材と、を備え、
前記発光面が前記回転軸と同心円上に配置されている、
ことを特徴とする。
【０００６】
請求項２記載の発明は、請求項１に記載の表示装置において、
前記導光部材は、前記回転軸の同心円に沿った円弧状の反射面を有し、前記回転軸と前記発光面の間に配置されている、
ことを特徴とする。
【０００７】
請求項３記載の発明は、請求項１又は２に記載の表示装置において、
前記回転軸と前記導光部材の間に前記反射面から漏れる光を遮蔽する遮蔽部材を更に備えた、
ことを特徴とする。
【０００８】
請求項４記載の発明は、請求項１ないし３のいずれか１項に記載の表示装置において、
前記発光源が非点灯のときに、前記発光面はカバー部材によってブラックアウトされる、
ことを特徴とする。
【０００９】
前記課題を解決するために、請求項５に記載の画像形成装置は、
用紙に画像を形成する画像形成部と、
請求項１ないし４のいずれか１項に記載の表示装置と、を備えた、
ことを特徴とする。
【発明の効果】
【００１０】
請求項１に記載の発明によれば、視認性を良好に保つことができる。
請求項２に記載の発明によれば、表示装置の小型を図るとともに視認性を良好に保つことができる。
請求項３に記載の発明によれば、光の外部への漏れを抑制することができる。
請求項４に記載の発明によれば、表示装置の外装面に意匠性を向上させることができる。
請求項５に記載の発明によれば、可動する表示装置を備えた画像形成装置の操作表示部の視認性を良好に保つことができる。
【図面の簡単な説明】
【００１１】
【図１】画像形成装置の全体を示す斜視図である。
【図２】画像形成装置の側面図である。
【図３】表示装置の操作表示部を示す斜視図である。
【図４】カバー部材の一部を不図示にして表示装置の内部構成を示す斜視図である。
【図５】表示装置の発光部を含む縦断面模式図である。
【図６】表示装置における発光部の発光状態を示す断面模式図であり、（ａ）は表示装置が上方を向いた状態、（ｂ）は表示装置が前方を向いた状態を示している。
【発明を実施するための形態】
【００１２】
次に図面を参照しながら、以下に実施形態を挙げ、本発明を更に詳細に説明するが、本発明はこれらの実施形態に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１３】
（１）画像形成装置の構成
図１は本実施形態に係る画像形成装置１の全体を示す斜視図、図２は画像形成装置１の側面図である。
以下、図面を参照しながら、画像形成装置１の全体構成を説明する。
【００１４】
画像形成装置１は、電子写真方式によって画像を形成する画像形成部１０と、原稿等の読み取りを行う画像読取部２０と、ユーザーインターフェイスとしての表示装置１００とを有する。表示装置１００は、液晶表示パネル、各種操作ボタン、タッチパネル等を組み合わせて構成され、画像形成装置１の使用者は、表示装置１００を介して各種の設定や指示の入力を行う。また、液晶表示パネルを介して画像形成装置１の使用者へ各種情報を表示する。
【００１５】
表示装置１００は、図２に示すように、画像読取部２０の前面側（操作者側）に、回転軸１２１を回転中心として、画像形成装置１の上方へ向いた位置と前面側へ向いた位置との間で回転し（図２中  矢印参照）、使用者が上方及び前面側のいずれの方向からも操作及び視認できるチルト機構を有している。
【００１６】
（２）表示装置
図３は、表示装置１００の操作表示部を示す斜視図、図４は、カバー部材１６０の一部を不図示にして表示装置１００の内部構成を示す斜視図、図５は表示装置１００の発光部１５１を含む縦断面模式図である。
【００１７】
（２．１）表示装置の全体構成
図３に示すように、表示装置１００は、本体ハウジング１１０、支持機構１２０、操作表示部１３０、操作部１４１、操作部１４２、発光部１５１、発光部１５２、発光部１５３、カバー部材１６０を含むように構成されている。
【００１８】
操作表示部１３０は、液晶ディスプレイ等の表示部にタッチパネルが重合配置されたタッチパネルディスプレイであり、操作画面を表示するとともに、操作者からタッチパネルへの選択操作を受け付ける。
ここで、選択操作は、操作画面上に表示された項目を操作画面上で選択する動作いい、操作者の指や、タッチペン等を操作画面に接触させて行う操作、及び操作者の指等を操作画面に近接させて非接触で行う動作を含む。
【００１９】
操作部１４１、操作部１４２は、操作キー１４１Ａ、操作キー１４２Ａで構成され、操作者の押下操作を受け付けて画像形成装置１に処理の実行を指示する。
【００２０】
発光部１５１、発光部１５２、発光部１５３（図３に破線で図示）は、表示装置１００の外装を構成するカバー部材１６０の一部に形成され、画像形成装置１の状態を表示するために、予め定められた色で発光する。
尚、発光部１５１、発光部１５２、発光部１５３は、後述するように裏面がブラックアウトされ、発光源としてのＬＥＤが非点灯状態では、使用者には視認されない（図３においては破線で図示）。
【００２１】
図４に示すように、カバー部材１６０の下方には、本体ハウジング１１０内に、操作キー１４１Ａ、操作キー１４２Ａの装着及び操作キー１４１Ａ、操作キー１４２Ａの押下の検知を行う操作キー基板１４３が配置されている。操作キー基板１４３は、操作キー１４１Ａ、操作キー１４２Ａの押下が行われた際に、どの操作キーが押下されたかを電気的に検知し、画像形成装置１の制御部（不図示）に対して通知する機能を持つ。
【００２２】
カバー部材１６０の下方には、それぞれの発光部１５１、発光部１５２、発光部１５３に対応して、発光源から出射する光をそれぞれの発光部１５１、発光部１５２、発光部１５３に導く導光部材１５１Ａ、１５２Ａ、１５３Ａが配置されている。
【００２３】
支持機構１２０は、回転軸１２１、回転軸１２２、ヒンジ１２３、ヒンジ１２４からなり、本体ハウジング１１０を被取り付け体としての画像形成装置１に対して回転可能に支持している。
【００２４】
（２．２）発光部の構成
図５に示すように、本体ハウジング１１０はヒンジ１２３で、回転軸１２１を回転中心ｃ１として回転可能に支持されている。
本体ハウジング１１０には、操作キー基板１４３が配置され、操作キー基板１４３の一端には、発光源の一例としてのＬＥＤ（Light Emitting Diode：発光ダイオード）１４５が配置されている。ＬＥＤ１４５は、画像形成装置１の制御部（不図示）により操作キー基板１４３を介して駆動され、点灯及び非点灯のいずれかの状態となる。
【００２５】
ＬＥＤ１４５の前面には、導光部材１５１Ａが配置されている。導光部材１５１Ａは、ヒンジ１２３の外周面１２３ａとカバー部材１６０の内面１６０ａとの間に配置され、ヒンジ１２３の外周面１２３ａと相対する面は、ヒンジ１２３の外周面１２３ａに沿って回転軸１２１の同心円上で円弧状の第１反射面１５１Ａａが形成されている。そのために、表示装置１００の厚み方向において小型化が図られている。
【００２６】
また、導光部材１５１Ａには、第１反射面１５１Ａａで反射した光の一部を反射する第２反射面１５１Ａｂが形成され、第１反射面１５１Ａａの上方にはカバー部材１６０の内面１６０ａに沿う表面形状を有する出射面１５１Ａｃが形成されている。
その結果、ＬＥＤ１４５から出射した光は、第１反射面１５１Ａａで反射し、一部は直接出射面１５１Ａｃから発光部１５１へ導かれ、他は第２反射面１５１Ａｂで反射して発光部１５１へ導かれる。
【００２７】
導光部材１５１Ａの第１反射面１５１Ａａとヒンジ１２３の外周面１２３ａの間には、遮蔽部材１７０が配置されている。遮蔽部材１７０の外面１７０ａは、導光部材１５１Ａの第１反射面１５１Ａａの外面に沿う円弧形状で形成され、導光部材１５１Ａの第１反射面１５１Ａａで反射されない一部の光の表示装置１００の外部への漏れを抑制している。
【００２８】
カバー部材１６０は、ポリカーボネイト（ＰＣ）等の透明な合成樹脂製で、発光部１５１が形成される領域（図５中  Ａ参照）は、断面視でヒンジ１２３の外周面１２３ａに沿って回転軸１２１の同心円上で円弧状に形成されている。また、内面１６０ａは、例えば黒色顔料を用いた印刷によりブラックアウトされ、発光部１５１の領域のみが光透過性を有するように、印刷が白抜き又は薄くされている。
【００２９】
その結果、ＬＥＤ１４５の非点灯時には、表示装置１００の全体が均一な外装面を呈して意匠性を向上させている。そして、ＬＥＤ１４５が点灯すると、導光部材１５１Ａで導かれた光がカバー部材１６０の発光部１５１を発光させて操作者に画像形成装置１の状態を表示する。
【００３０】
（３）表示装置の発光
図６は表示装置１００における発光部１５１の発光状態を示す断面模式図であり、（ａ）は表示装置１００が上方を向いた状態、（ｂ）は表示装置１００が前方を向いた状態を示している。
【００３１】
図６（ａ）に示すように、表示装置１００が上方を向いた状態では、ＬＥＤ１４５から出射した光は、導光部材１５１Ａに入射し、ヒンジ１２３の外周面１２３ａに沿って回転軸１２１の同心円上で円弧状に形成された第１反射面１５１Ａａで反射する。
反射光の一部は直接出射面１５１Ａｃへ導かれ、他は第２反射面１５１Ａｂで反射して出射面１５１Ａｃへ導かれる。出射面１５１Ａｃへ導かれた光は、カバー部材１６０の内面１６０ａの光透過性を有する発光部１５１へ入射して、発光部１５１が発光する（図６（ａ）中  矢印参照）。
その結果、操作者は、画像形成装置１の上方から、画像形成装置１の状態を確認することができる。
【００３２】
図６（ｂ）に示すように、表示装置１００がヒンジ１２３で回転して前方側を向いた状態では、本体ハウジング１１０に固定された操作キー基板１４３及び導光部材１５１Ａがヒンジ１２３の回転軸１２１を中心に回転し、カバー部材１６０に形成された発光部１５１との位置関係は、表示装置１００が上方を向いた状態と同様である。
【００３３】
そのために、ＬＥＤ１４５から出射した光は、導光部材１５１Ａの第１反射面１５１Ａａで反射して、一部は直接出射面１５１Ａｃへ導かれ、他は第２反射面１５１Ａｂで反射して出射面１５１Ａｃへ導かれる。出射面１５１Ａｃへ導かれた光は、カバー部材１６０の発光部１５１へ入射して、発光部１５１が発光する（図６（ｂ）中  矢印参照）。
その結果、操作者は、画像形成装置１の前方側から、画像形成装置１の状態を確認することができる。
【００３４】
表示装置１００においては、発光部１５１がヒンジ１２３の回転軸１２１と同心円上に配置され、発光部１５１へＬＥＤ１４５から出射する光を導く導光部材１５１Ａもヒンジ１２３の外周面１２３ａとカバー部材１６０の内面１６０ａとの間に配置され、導光部材１５１Ａの第１反射面１５１Ａａが、ヒンジ１２３の外周面１２３ａに沿って円弧状に形成されている。
そのために、表示装置１００の回転位置に拘わらず、ＬＥＤ１４５の光が発光部１５１へ導かれ、操作者からの視認が可能となる。
【００３５】
以上、本発明の実施形態として、具体例を挙げて説明したが、被取り付け体としては画像形成装置に限らず、チルト機構を有するカーナビゲーション装置等の表示部に適用することもできる。
【符号の説明】
【００３６】
１・・・画像形成装置
１０・・・画像形成部
２０・・・画像読取部
１００・・・表示装置
１１０・・・本体ハウジング
１２０・・・支持機構
１２１・・・回転軸
１２３・・・ヒンジ
１３０・・・操作表示部
１４１、１４２・・・操作部
１４１Ａ、１４２Ａ・・・操作キー
１４３・・・操作キー基板
１４５・・・ＬＥＤ
１５１、１５２、１５３・・・発光部
１５１Ａ・・・導光部材
１５１Ａａ・・・第１反射面
１５１Ａｂ・・・第２反射面
１５１Ａｃ・・・出射面
１６０・・・カバー部材
１７０・・・遮蔽部材
【図１】
2018012224.tif 000003
【図２】
2018012224.tif 000004
【図３】
2018012224.tif 000005
【図４】
2018012224.tif 000006
【図５】
2018012224.tif 000007
【図６】
2018012224.tif 000008